(57)【要約】【課題】  パネルの表示内容の変更に簡易に対応可能な非接触通信を利用したパネル情報管理システム、およびこれに用いる情報管理サーバ、情報管理用プログラムを提供する。【解決手段】  所定の商品の画像を表示したポスターが貼付されて固定位置に設置されたＩＣタグ２０１〜２２０にかざされることで、ＩＣタグ２０１〜２２０の位置情報を取得してＩＣタグ２０１〜２２０に保持されたアドレス情報で示される情報管理サーバ１０Ａに送信するユーザ携帯端末３０と、ユーザ携帯端末３０から送信されたＩＣタグの位置情報に対応する表示画像情報を特定してユーザ携帯端末３０に表示させるために送信する情報管理サーバ１０Ａとを備えることを特徴とする。【選択図】  図１
2013161097.tif 000002
【特許請求の範囲】
【請求項１】
所定の商品に関する表示をしたパネルが貼付されて固定位置に設置された非接触通信装置と、前記非接触通信装置の位置情報を取得する位置情報取得手段と、非接触通信装置と通信可能なユーザ携帯端末と、前記位置情報取得手段および前記ユーザ携帯端末に接続された情報管理サーバとを有するパネル情報管理システムにおいて、
前記非接触通信装置は、
前記情報管理サーバにアクセスするためのアドレス情報を保持する記憶部を有し、
前記ユーザ携帯端末は、
前記非接触通信装置にかざされることで非接触通信により前記アドレス情報を取得するとともに、前記位置情報取得手段で取得された前記非接触通信装置の位置情報を取得し、取得した非接触通信装置の位置情報を、取得したアドレス情報に基づいて前記情報管理サーバに送信する通信部と、
前記非接触通信装置の位置情報を送信したことにより前記情報管理サーバから受信される表示画像情報を表示する表示部とを有し、
前記情報管理サーバは、
前記非接触通信装置の位置情報と、当該非接触通信装置に貼付されるパネルの表示に関する表示画像情報とを対応づけて記憶する記憶部と、
前記ユーザ携帯端末から前記非接触通信装置の位置情報を取得すると、自情報管理サーバの記憶部に記憶した情報に基づいて、取得した非接触通信装置の位置情報に対応する表示画像情報を特定して前記ユーザ携帯端末に表示させるために送信する特定部とを有する
ことを特徴とする非接触通信を利用したパネル情報管理システム。
【請求項２】
前記非接触通信装置と通信可能な管理用端末が前記情報管理サーバにさらに接続され、
前記パネルには、表示に関する商品を識別する識別情報が前記管理用端末で取得可能な状態で表示され、
前記管理用端末は、
前記非接触通信装置にかざされることで非接触通信により前記アドレス情報を取得し、前記非接触通信装置の位置情報を取得するとともに表示されている前記識別情報を取得して、取得した非接触通信装置の位置情報および識別情報を、取得したアドレス情報に基づいて前記情報管理サーバに送信する通信部と、
前記非接触通信装置の位置情報および識別情報を送信したことにより、当該パネルが適正な位置に貼付されているか否かが判定された判定結果を、前記情報管理サーバから受信して表示する表示部とを有し、
前記情報管理サーバは、
前記管理用端末から取得した非接触通信装置の位置情報と識別情報との組み合わせが、自情報管理サーバの記憶部に記憶された情報の組み合わせと同じであるか否かにより、当該パネルが適正な位置に貼付されているか否かを判定して前記管理用端末に送信する判定部をさらに有する
ことを特徴とする請求項１に記載の非接触通信を利用したパネル情報管理システム。
【請求項３】
前記パネルは、所定の商品のデジタル画像情報が表示されたデジタル表示装置で構成されて前記情報管理サーバに接続され、
前記情報管理サーバは、
自情報管理サーバの記憶部に記憶された所定の非接触通信装置に対応する表示画像情報が新たな商品に関するものに変更されたときに、前記デジタル表示装置の表示を、前記新たな前記商品に関するデジタル画像情報に変更するように制御する制御部
をさらに有することを特徴とする請求項１または２に記載の非接触通信を利用したパネル情報管理システム。
【請求項４】
１つの前記非接触通信装置に対して複数ページで構成されたパネルが貼付され、
前記非接触通信装置は、前記パネルの複数ページのうち最上面に表示されているページのページ数情報を取得するページ数情報取得部をさらに有し、
前記ユーザ携帯端末の通信部は、前記非接触通信装置から前記アドレス情報および前記ページ数情報を取得するとともに、前記位置情報取得手段で取得された前記非接触通信装置の位置情報を取得し、取得した非接触通信装置の位置情報およびページ数情報を、取得したアドレス情報に基づいて前記情報管理サーバに送信し、
前記ユーザ携帯端末の表示部は、当該非接触通信装置の位置情報およびページ数情報を送信したことにより前記情報管理サーバから受信される表示画像情報を表示し、
前記情報管理サーバの管理テーブル記憶部は、前記非接触通信装置の位置情報のページ数情報ごとに対応する表示画像情報を記憶し、
前記情報管理サーバの特定部は、前記ユーザ携帯端末から前記非接触通信装置の位置情報およびページ数情報を取得すると、取得した非接触通信装置の位置情報のページ数情報に対応する表示画像情報を特定して前記ユーザ携帯端末に表示させるために送信する
ことを特徴とする請求項１に記載の非接触通信を利用したパネル情報管理システム。
【請求項５】
所定の商品に関する表示をしたパネルが貼付されて固定位置に設置されて自情報管理サーバにアクセスさせるためのアドレス情報を保持した非接触通信装置の、位置情報を取得する位置情報取得手段と、
非接触通信装置にかざされることで非接触通信により前記アドレス情報を取得するとともに、前記位置情報取得手段で取得された前記非接触通信装置の位置情報を取得して、取得した非接触通信装置の位置情報を、取得したアドレス情報に基づいて自情報管理サーバに送信する通信部と、前記非接触通信装置の位置情報を送信したことにより表示画像情報を受信して表示する表示部とを有するユーザ携帯端末と、
に接続された、パネル情報管理システムに利用する情報管理サーバにおいて、
前記非接触通信装置の位置情報と、当該非接触通信装置に貼付されるパネルの表示に関する表示画像情報とを対応づけて記憶する記憶部と、
前記ユーザ携帯端末から前記非接触通信装置の位置情報を取得すると、自情報管理サーバの記憶部に記憶した情報に基づいて、取得した非接触通信装置の位置情報に対応する表示画像情報を特定して前記ユーザ携帯端末に表示させるために送信する特定部とを有する
ことを特徴とする情報管理サーバ。
【請求項６】
前記パネルには、表示に関する商品を識別する識別情報が携帯端末で取得可能な状態で表示され、
前記非接触通信装置と通信可能であるとともに前記識別情報を取得可能な携帯端末であり、前記非接触通信装置にかざされることで非接触通信により前記アドレス情報を取得し、前記非接触通信装置の位置情報を取得するとともに表示されている前記識別情報を取得して、取得した非接触通信装置の位置情報および識別情報を、取得したアドレス情報に基づいて自情報管理サーバに送信する通信部と、前記非接触通信装置の位置情報および識別情報を送信したことにより、当該パネルが適正な位置に貼付されているか否かが判定された判定結果を受信して表示する表示部とを有する管理用端末にさらに接続され、
前記管理用端末から取得した非接触通信装置の位置情報と識別情報との組み合わせが、自情報管理サーバの記憶部に記憶された情報の組み合わせと同じであるか否かにより、当該パネルが適正な位置に貼付されているか否かを判定して前記管理用端末に送信する判定部をさらに有する
ことを特徴とする請求項５に記載の情報管理サーバ。
【請求項７】
前記パネルが、所定の商品のデジタル画像情報が表示されたデジタル表示装置で構成されて接続され、
自情報管理サーバの記憶部に記憶された所定の非接触通信装置に対応する表示画像情報が新たな商品に関するものに変更されたときに、前記デジタル表示装置の表示を、前記新たな商品に関するデジタル画像情報に変更するように制御する制御部
をさらに有することを特徴とする請求項５または６に記載の情報管理サーバ。
【請求項８】
１つの前記非接触通信装置に対して複数ページで構成されたパネルが貼付されており、
前記非接触通信装置は、前記パネルの複数ページのうち最上面に表示されているページのページ数情報を取得するページ数情報取得部をさらに有しており、前記ユーザ携帯端末の通信部が、前記非接触通信装置から前記アドレス情報および前記ページ数情報を取得するとともに、前記位置情報取得手段で取得された前記非接触通信装置の位置情報を取得し、取得した非接触通信装置の位置情報およびページ数情報を、取得したアドレス情報に基づいて前記情報管理サーバに送信し、
前記ユーザ携帯端末の表示部が、当該非接触通信装置の位置情報およびページ数情報を送信したことにより受信される表示画像情報を表示しており、
前記管理テーブル記憶部は、前記非接触通信装置の位置情報のページ数情報ごとに対応する表示画像情報を記憶し、
前記サーバの特定部は、前記ユーザ携帯端末から前記非接触通信装置の位置情報およびページ数情報を取得すると、取得した非接触通信装置の位置情報のページ数情報に対応する表示画像情報を特定して前記ユーザ携帯端末に表示させるために送信する
ことを特徴とする請求項５に記載の情報管理サーバ。
【請求項９】
請求項５〜８いずれか１項に記載の情報管理サーバの各機能を、コンピュータで実行させることで、当該コンピュータを情報管理サーバとして機能させるための情報管理用プログラム。
【発明の詳細な説明】
【技術分野】
【０００１】
本発明は、パネルに表示された商品に関する情報をユーザの携帯端末に提供する、非接触通信を利用したパネル情報管理システム、およびこれに用いる情報管理サーバ、情報管理用プログラムに関する。
【背景技術】
【０００２】
近年、非接触型ＩＣタグのリーダ機能を有した携帯電話などを用いて、パネル表示から直接情報を読み取ることができるパネル情報管理システムが普及している。
【０００３】
このシステムでは、所定のコンテンツ情報にアクセスするためのＵＲＬ情報を格納したＩＣタグやリーダライタ装置をパネルの背面等に貼付しておき、ユーザが街中等で興味を持ったパネル表示に携帯電話をかざしたときに、このＩＣタグやリーダライタ装置からＵＲＬ情報を携帯電話で取得してアクセスし、当該ポスターの表示に関するコンテンツ情報を表示部に表示させることができる。
【先行技術文献】
【特許文献】
【０００４】
【特許文献１】特開２００６−３１５３１号公報
【発明の概要】
【発明が解決しようとする課題】
【０００５】
しかし、上述したような従来のパネル情報管理システムでは、ＩＣタグには各ポスターの表示内容に合わせたＵＲＬ情報を格納させておく必要があるため、ポスターを張り替える際にはＩＣタグ等も同時に交換するかまたはＵＲＬ情報を書き換えなければならず、作業員の処理が煩雑でありコストも高くなるという問題があった。
【０００６】
よって本発明の目的は、パネルの表示内容の変更に簡易に対応可能な非接触通信を利用したパネル情報管理システム、およびこれに用いる情報管理サーバ、情報管理用プログラムを提供することである。
【課題を解決するための手段】
【０００７】
上記目的を達成するための本発明のパネル情報管理システムは、所定の商品に関する表示をしたパネルが貼付されて固定位置に設置された非接触通信装置と、前記非接触通信装置の位置情報を取得する位置情報取得手段と、非接触通信装置と通信可能なユーザ携帯端末と、前記位置情報取得手段および前記ユーザ携帯端末に接続された情報管理サーバとを有するパネル情報管理システムにおいて、前記非接触通信装置は、前記情報管理サーバにアクセスするためのアドレス情報を保持する記憶部を有し、前記ユーザ携帯端末は、前記非接触通信装置にかざされることで非接触通信により前記アドレス情報を取得するとともに、前記位置情報取得手段で取得された前記非接触通信装置の位置情報を取得し、取得した非接触通信装置の位置情報を、取得したアドレス情報に基づいて前記情報管理サーバに送信する通信部と、前記非接触通信装置の位置情報を送信したことにより前記情報管理サーバから受信される表示画像情報を表示する表示部とを有し、前記情報管理サーバは、前記非接触通信装置の位置情報と、当該非接触通信装置に貼付されるパネルの表示に関する表示画像情報とを対応づけて記憶する記憶部と、前記ユーザ携帯端末から前記非接触通信装置の位置情報を取得すると、自情報管理サーバの記憶部に記憶した情報に基づいて、取得した非接触通信装置の位置情報に対応する表示画像情報を特定して前記ユーザ携帯端末に表示させるために送信する特定部とを有することを特徴とする。
【０００８】
また本発明のパネル情報管理システムに利用する情報管理サーバは、所定の商品に関する表示をしたパネルが貼付されて固定位置に設置されて自情報管理サーバにアクセスさせるためのアドレス情報を保持した非接触通信装置の、位置情報を取得する位置情報取得手段と、非接触通信装置にかざされることで非接触通信により前記アドレス情報を取得するとともに、前記位置情報取得手段で取得された前記非接触通信装置の位置情報を取得して、取得した非接触通信装置の位置情報を、取得したアドレス情報に基づいて自情報管理サーバに送信する通信部と、前記非接触通信装置の位置情報を送信したことにより表示画像情報を受信して表示する表示部とを有するユーザ携帯端末とに接続された、パネル情報管理システムに利用する情報管理サーバにおいて、前記非接触通信装置の位置情報と、当該非接触通信装置に貼付されるパネルの表示に関する表示画像情報とを対応づけて記憶する記憶部と、前記ユーザ携帯端末から前記非接触通信装置の位置情報を取得すると、自情報管理サーバの記憶部に記憶した情報に基づいて、取得した非接触通信装置の位置情報に対応する表示画像情報を特定して前記ユーザ携帯端末に表示させるために送信する特定部とを有することを特徴とする。
【発明の効果】
【０００９】
よって本発明の非接触通信を利用したパネル情報管理システム、およびこれに用いる情報管理サーバ、情報管理用プログラムによれば、パネルの表示内容の変更に簡易に対応することができる。
【図面の簡単な説明】
【００１０】
【図１】本発明の第１実施形態によるパネル情報管理システムの構成を示すブロック図である。
【図２】本発明の第１実施形態によるパネル情報管理システムに利用される複数のパネルを有するパネル群Ｂを示す説明図である。
【図３】本発明の第１実施形態によるパネル情報管理システムに用いる情報管理サーバに記憶される管理テーブルの一例を示す表である。
【図４】本発明の第１実施形態によるパネル情報管理システムの動作を示すシーケンス図である。
【図５】本発明の第２実施形態によるパネル情報管理システムの構成を示すブロック図である。
【図６】本発明の第２実施形態によるパネル情報管理システムの動作を示すシーケンス図である。
【図７】本発明の第３実施形態によるパネル情報管理システムの構成を示すブロック図である。
【図８】本発明の第４実施形態によるパネル情報管理システムのＩＣタグに、複数ページで構成されたパネルが貼付された状態を示す構成図である。
【発明を実施するための形態】
【００１１】
《第１実施形態》
〈第１実施形態によるパネル情報管理システムの構成〉
本発明の第１実施形態によるパネル情報管理システムの構成について、図１を参照して説明する。
【００１２】
本実施形態によるパネル情報管理システム１Ａは、情報管理サーバ１０Ａと、所定の商品の画像が表示されたパネルＡが貼付されて固定位置に設置されたＩＣタグ２０１〜２２０と、情報管理サーバ１０Ａにネットワーク４０を介して接続されたユーザ携帯端末３０とを有する。ＩＣタグ２０１〜２２０には、それぞれ異なる商品のポスターが貼り替え自在な状態で貼付されてパネルＡが構成されている。
【００１３】
情報管理サーバ１０Ａは、管理テーブル記憶部１０１と、ユーザＤＢ記憶部１０２と、サーバ通信部１０３と、情報特定部１０４と、ユーザ認証部１０５と、ユーザ情報登録部１０６と、発送処理部１０７とを有する。
【００１４】
管理テーブル記憶部１０１は、予め設定された、各ＩＣタグ２０１〜２２０の位置情報をそれぞれ示す位置ＩＤと、各ＩＣタグ２０１〜２２０に貼付すべきポスターの商品を識別する商品管理ＩＤとを対応させて格納した管理テーブルを記憶する。また、商品管理ＩＤごとの、該当商品に関する表示画像情報を記憶する。
【００１５】
ユーザＤＢ記憶部１０２は、予め登録されたユーザに関する、ユーザ携帯端末３０の識別情報や、氏名、住所等の情報を記憶する。
【００１６】
サーバ通信部１０３は、ネットワーク４０を介してユーザ携帯端末３０と通信を行う。
【００１７】
情報特定部１０４は、サーバ通信部１０３を介してユーザ携帯端末３０からＩＣタグの位置ＩＤを取得したときに、管理テーブルを参照して、当該位置ＩＤに対応する商品管理ＩＤを特定し、該当する表示画像情報をユーザ携帯端末３０に送信させる。
【００１８】
ユーザ認証部１０５は、ユーザＤＢ記憶部１０２に記憶された情報を参照して、サーバ通信部１０３にアクセスされたアクセス元が、登録されたユーザのユーザ携帯端末３０からのものであるか否かを判定することにより、ユーザ認証を行う。
【００１９】
ユーザ情報登録部１０６は、ユーザ認証部１０５により、既に登録されたユーザのユーザ携帯端末３０からのアクセスではないと判定されたときに、今回のアクセス元のユーザに関する情報を登録するための登録画面情報を提供するとともに、当該提供した登録画面情報に入力された情報をユーザＤＢ記憶部１０２に記憶させることにより、新たなユーザをユーザＤＢ記憶部１０２に登録する。
【００２０】
発送処理部１０７は、サーバ通信部１０３を介して、登録されたユーザのユーザ携帯端末３０から商品の購入決定通知を取得したときに、情報特定部１０４で特定された商品管理ＩＤに対応する商品を、ユーザ情報登録部１０６に登録されたユーザ宛てに発送するための処理を実行する。
【００２１】
ＩＣタグ２０１〜２２０は、非接触通信機能を有する端末と無線通信を行う複数のＩＣタグであり、パネルＡ内の特定の位置にそれぞれ固定的に設置され、当該位置を識別するそれぞれの位置ＩＤと、情報管理サーバ１０Ａにアクセスするためのアドレス情報であるＵＲＬ情報を登録ＵＲＬ情報として格納する。パネルＡおよびＩＣタグ２０１〜２２０の詳細な構成を図２に示す。図２ではパネルＡ内が２０個の領域に分割され、それぞれの領域ごとの位置ＩＤ[A01]〜[D05]を格納したＩＣタグ２０１〜２２０が、対応する領域内に固定的に設置されている状態を示している。これらの領域には、情報管理サーバ１０Ａの管理テーブル記憶部１０１に記憶された管理テーブルに従って、それぞれの位置ＩＤに対応する商品管理ＩＤに関する商品のポスターが貼付されている。このようなパネルは、街中や駅の構内、施設内等のさまざまな場所に設置可能である。
【００２２】
ユーザ携帯端末３０は、第１読み取り部３０１と、端末通信部３０２と、入出力部３０３とを有する。
【００２３】
第１読み取り部３０１は、ＩＣタグと無線通信可能であり、ＩＣタグにかざされることにより当該ＩＣタグに格納された位置ＩＤおよび登録ＵＲＬ情報を非接触で読み取る。
【００２４】
端末通信部３０２は、ネットワーク４０を介して情報管理サーバ１０Ａとの通信を行う。
【００２５】
入出力部３０３は、自ユーザ携帯端末３０を利用するユーザの操作により、情報の入力、および表示出力を行う。
【００２６】
ネットワーク４０は、インターネット等のＩＰネットワークで構築される。
【００２７】
〈第１実施形態によるパネル情報管理システムの動作〉
次に、本実施形態によるパネル情報管理システム１Ａの動作について説明する。
【００２８】
本実施形態において、情報管理サーバ１０Ａの管理テーブル記憶部１０１には、図３に示すような管理テーブルが記憶されているものとする。図３の管理テーブルは図２のパネルＡを管理する管理テーブルであり、例えば、位置ＩＤ[A01]に対応する商品管理ＩＤが「0001」であり、位置ＩＤ[A02]に対応する商品管理ＩＤが「0002」であり、位置ＩＤ[A03]に対応する商品管理ＩＤが「0003」であり、位置ＩＤ[A04]に対応する商品管理ＩＤが「0004」であり、位置ＩＤ[A05]に対応する商品管理ＩＤが「0005」であることが格納されていることを示している。また、これら商品管理ＩＤ「0001」〜「0005」にそれぞれ対応する商品の画像を示す表示画像情報を記憶している。
【００２９】
このように管理テーブルおよび表示画像情報が記憶されている状態で、ユーザがパネルＡ内の左上の位置ID[A01]の領域に貼付されたポスターで示される商品を購入しよう考え、ユーザ携帯端末３０がパネルＡの当該領域にかざされたときのシステム内の処理を、図４のシーケンス図を参照して説明する。
【００３０】
まず、ユーザ携帯端末３０の第１読み取り部３０１の非接触読み取り機能により、ＩＣタグ２０１から位置ＩＤ[A01]および登録ＵＲＬ情報が取得される（Ｓ１）。
【００３１】
ユーザ携帯端末３０では、第１読み取り部３０１で取得された位置ＩＤ[A01]に、自端末３０を識別する端末ＩＤが付加されて、登録ＵＲＬ情報に基づいて端末通信部３０２からネットワーク４０を介して情報管理サーバ１０Ａに送信される（Ｓ２）。
【００３２】
送信された位置ＩＤ[A01]および端末ＩＤは情報管理サーバ１０Ａのサーバ通信部１０３を介して情報特定部１０４で取得され、管理テーブル記憶部１０１の管理テーブルが参照されて、当該位置ＩＤに対応する商品管理ＩＤ「0001」が特定される（Ｓ３）。
【００３３】
そして、特定された商品管理ＩＤに関する表示画面情報が、取得された端末ＩＤに基づいて発信元の端末ＩＤで示されるユーザ携帯端末３０に送信される（Ｓ４）。ユーザ携帯端末３０では、表示画面情報が受信されると、ユーザ携帯端末３０の入出力部３０３に表示される（Ｓ５）。これによりユーザは所望の商品に関する情報をユーザ携帯端末３０の画面で確認することができる。
【００３４】
表示された商品の表示画面情報をユーザが確認して当該商品の購入を決定すると、ユーザの操作により購入決定ボタン（図示せず）が押下され、商品の購入決定通知が情報管理サーバ１０Ａに送信される（Ｓ６）。
【００３５】
情報管理サーバ１０Ａでは、購入決定通知を受信すると、当該通知の送信元であるユーザ携帯端末３０が既にユーザＤＢ記憶部１０２に登録されたユーザの端末であるか否かが判定される。ここで、既に登録されたユーザの端末であると判定されたときには登録されているユーザの氏名、住所等の情報が取得される。また、登録されていないと判定されたときには登録画面をユーザ携帯端末３０に送信してユーザの氏名、住所等を入力させて新たにユーザＤＢ記憶部１０２に登録させることで、ユーザ携帯端末３０に該当するユーザが特定される（Ｓ７）。
【００３６】
次に、ステップＳ３において特定された商品管理ＩＤ「0001」の商品を、ステップＳ７で特定されたユーザの住所に発送するための処理が、発送処理部１０７により実行される（Ｓ８）。
【００３７】
また、当該パネル情報管理システム１Ａでは、パネルＡに貼付されたポスターを他の商品のポスターに替える場合、ＩＣタグ２０１〜２２０は固定したままでポスターのみを貼り替え、管理テーブル記憶部１０１に記憶されている管理テーブルの該当する位置ＩＤに対応する商品管理ＩＤを、貼り替え後のポスターの商品の情報にオペレータが変更することで対応可能である。
【００３８】
以上の第１実施形態によれば、ＩＣタグを有するパネルのパネル情報管理システムにおいて、ＩＣタグの交換やタグ内の設定情報の変更を個々に行うことなく、情報管理サーバの保持情報を変更する簡易な操作で、他の商品を表示するポスターに変更することができる。
【００３９】
《第２実施形態》
〈第２実施形態によるパネル情報管理システムの構成〉
本発明の第２実施形態によるパネル情報管理システムの構成について、図５を参照して説明する。本実施形態において、第１実施形態と同一機能を有する部分には同一の符号を付し、詳細な説明は省略する。
【００４０】
本実施形態によるパネル情報管理システム１Ｂは、情報管理サーバ１０Ｂと、所定の商品の画像が表示されたパネルＢが貼付されて固定位置に設置されたＩＣタグ２０１〜２２０および管理用情報表示ラベル５０１〜５２０と、管理用端末６０とを有する。ＩＣタグ２０１〜２２０にはそれぞれ異なる商品のポスターが貼り替え自在な状態で貼付され、各ポスターには該当する商品管理ＩＤを示す一次元バーコードや二次元バーコード等を印刷した管理用情報表示ラベル５０１〜５２０が予め貼付されてパネルＢが構成されている。
【００４１】
情報管理サーバ１０Ｂは、情報管理サーバＡの構成に加え、管理用端末６０から送信された情報に基づいて、適正なポスターが適正な位置に貼付されたか否かを判定する判定部１０８を有する。
【００４２】
管理用端末６０は、第１読み取り部６０１と、第２読み取り部６０２と、端末通信部６０３と、入出力部６０４とを有する。
【００４３】
第１読み取り部６０１は、ＩＣタグと無線通信可能であり、ＩＣタグにかざされることにより当該ＩＣタグに格納された位置ＩＤおよび登録ＵＲＬ情報を非接触で読み取る。
【００４４】
第２読み取り部６０２は、自端末６０に搭載されたカメラ装置（図示せず）等の機能を利用して、管理用情報表示ラベル５０１〜５２０に印刷されたバーコード等から商品管理ＩＤを読み取る。
【００４５】
端末通信部６０３は、ネットワーク４０を介して情報管理サーバ１０Ｂとの通信を行う。
【００４６】
入出力部６０４は、ポスターの貼り替え作業を行う作業者の操作により、情報の入力、および表示出力を行う。
【００４７】
〈第２実施形態によるパネル情報管理システムの動作〉
次に、本実施形態によるパネル情報管理システム１Ｂの動作について、図６のシーケンス図を参照して説明する。
【００４８】
本実施形態においては、パネルＡに貼付されていたポスターが他の商品のポスター貼り替えられてパネルＢとして設置され、これに合わせて情報管理サーバ１０Ｂの管理テーブル記憶部１０１に記憶されていた記憶テーブルも、該当する位置ＩＤに対応する商品管理ＩＤが貼り替えるべきポスターの商品の情報に変更されているものとする。
【００４９】
このように管理テーブルが変更された状態で、ポスターの貼り替え作業を行う作業者による確認のために、パネルＢの貼り替え作業を行った領域に管理者用端末６０がかざされると、管理用端末６０の第１読み取り部６０１の非接触読み取り機能により、該当するＩＣタグから位置ＩＤおよび登録ＵＲＬ情報が取得される（Ｓ１１）。
【００５０】
また、作業者により管理用端末６０の入出力部６０４が操作され、第２読み取り部６０２の機能により、該当する管理用情報表示ラベルに印刷されたバーコード等から商品ＩＤが読み取られる（Ｓ１２）。
【００５１】
管理用端末６０では、第１読み取り部６０１で取得された位置ＩＤおよび第２読み取り部６０２で取得された商品管理ＩＤに、自端末６０を識別する端末ＩＤが付加されて、登録ＵＲＬ情報に基づいて端末通信部６０３からネットワーク４０を介して情報管理サーバ１０Ａに送信される（Ｓ１３）。
【００５２】
送信された位置ＩＤ、商品管理ＩＤ、および端末ＩＤは情報管理サーバ１０Ｂのサーバ通信部１０３を介して判定部１０８で取得され、管理テーブル記憶部１０１の管理テーブルが参照されて、取得した位置ＩＤと商品管理ＩＤとの組み合わせが適正であるか否かが判定される（Ｓ１４）。このとき、情報管理サーバ１０Ｂの判定部へのアクセスは、ログインＩＤ、パスワード等を用いることにより予め登録された管理用端末６０のみが許可される。そして判定部１０８において、取得した位置ＩＤと商品管理ＩＤとの組み合わせが管理テーブルに格納された情報の組み合わせと同じであれば適正であると判定され、同じでなければ適正ではないと判定される。
【００５３】
判定された結果は、情報管理サーバ１０Ｂから管理用端末６０に送信され（Ｓ１５）、管理用端末６０の入出力部６０４に表示される（Ｓ１６）。この表示により、作業者はポスターの貼り替え作業が適正に行われたか否かを確認することができる。
【００５４】
ここで、作業が適正に行われていないと判定されたときに、作業者が行ったポスター貼り替えによるＩＣタグの位置ＩＤと管理用情報表示ラベルの商品管理ＩＤとを優先し、情報管理サーバ１０Ｂの管理テーブル記憶部１０１が書き換えられるようにしてもよい。
【００５５】
《第３実施形態》
〈第３実施形態によるパネル情報管理システムの構成〉
本発明の第３実施形態によるパネル情報管理システム１Ｃの構成について、図７を参照して説明する。
【００５６】
本実施形態においては、情報管理サーバ１０Ｃに表示制御部１０９を有し、各ポスターがデジタル表示装置７０で表示されることでパネルＣが構成されて情報管理サーバ１０Ｃに接続されている他は、第１実施形態によるパネル情報管理システム１Ａの構成と同様であるため、同一機能を有する部分の詳細な説明は省略する。
【００５７】
本実施形態においては、ポスターとしてデジタル表示装置７０に表示される商品の画像を他の商品の画像に変更するときには、管理テーブル記憶部１０１の管理テーブルに格納された該当する位置ＩＤの商品管理ＩＤが新たなものに変更されるとともに、表示制御部１０９により新たな商品管理ＩＤに対応するポスターの表示画像に変更する指示がパネルＣの該当するデジタル表示装置７０に送信されてポスターの表示が変更される。
【００５８】
このように構成することにより、第１実施形態と同様の効果を得ることができるとともに、作業員がポスターの貼り替え作業を行う必要がなく、簡易な作業でパネル情報管理システムを管理することができる。
【００５９】
《第４実施形態》
本発明の第４実施形態によるパネル情報管理システム１Ｄの構成について、図８を参照して説明する。
【００６０】
本実施形態のパネル情報管理システム１Ｄは、１つのＩＣタグ２２１に複数ページ（第１ページ：ポスターａ、第２ページ：ポスターｂ、第３ページ：ポスターｃ）が重ねて貼付され、ユーザがカレンダーのように各ページをめくることで各々のポスターの表示を見ることができるようにパネルＤを構成し、ユーザが見ている（最上面に表示されている）ページ数情報を検出するための装置である光センサ８０ａ〜８０ｃを備える他は第１実施形態によるパネル情報管理システム１Ａの構成と同様であるため、同一機能を有する部分の詳細な説明は省略する。
【００６１】
情報管理サーバ１０Ｄの管理テーブル記憶部１０１は、予め設定された、ＩＣタグ２２１の位置情報を示す位置ＩＤと、当該ＩＣタグ２２１に貼付する複数ページのポスターの、ページごとの表示する商品を識別する商品管理ＩＤとを対応させて格納した管理テーブルを記憶する。また、商品管理ＩＤごとの該当商品に関する表示画像情報を記憶する。
【００６２】
光センサ８０ａ〜８０ｃは、ポスターａ〜ポスターｃにおいて互いに重ならないタブ位置に対応してパネル基盤に設置され、ＩＣタグ２２１に接続されている。
【００６３】
ＩＣタグ２２１は、光センサ８０ａ〜８０ｃから取得された情報に基づいて、ポスターａ（第１ページ）、ポスターｂ（第２ページ）、ポスターｃ（第３ページ）のタブが対応する光センサ８０ａ、８０ｂ、８０ｃにそれぞれ被さっているか否かを判断することにより、どのページが現在最上面に表示されているかを判定する。この最上面に表示されていると判定したページのページ数情報が、ユーザにより視認されているポスターのページ数情報として取得される。
【００６４】
ユーザ携帯端末３０の第１読み取り部３０１は、ＩＣタグ２２１からＵＲＬ情報、位置ＩＤ、およびページ数情報を取得する。
【００６５】
ユーザ携帯端末３０の端末通信部３０２は、取得したＩＣタグ２２１の位置ＩＤおよびページ数情報を、取得したＵＲＬ情報に基づいて情報管理サーバ１０Ａに送信する。
【００６６】
情報管理サーバ１０Ａの管理テーブル記憶部１０１は、ＩＣタグ２２１の位置ＩＤのページ数情報ごとに対応する表示画像情報を記憶する。
【００６７】
情報管理サーバ１０Ａの情報特定部１０４は、ユーザ携帯端末３０からＩＣタグ２２１の位置ＩＤおよびページ数情報を取得すると、管理テーブル記憶部１０１に記憶された情報に基づいて、取得したＩＣタグ２２１の位置ＩＤのページ数情報に対応する表示画像情報を特定してユーザ携帯端末３０に表示させるために送信する。
【００６８】
このように構成されることにより、複数ページで構成されたポスターをユーザがめくりながら視認し、所望の商品が表示されたポスターを見たときに当該ＩＣタグ２２１にユーザ携帯端末３０をかざすことで、該当する商品の表示画像情報をユーザ携帯端末３０に表示させ、商品購入等の処理を実行させることができる。
【００６９】
また、複数ページのポスターを、日めくりカレンダーのように重ねて貼付し、作業員が期間ごとに最上面のポスターを切り取るように構成することにより、ポスターを貼り替えるよりも作業を簡易にすることができる。この場合も本実施形態と同様にＩＣタグでページ数情報を取得するように構成することで、ユーザが視認しているポスターを識別することができる。
【００７０】
上述した第１実施形態〜第４実施形態においては、非接触で無線通信を行う装置として、ＩＣタグとユーザ携帯端末のＩＣタグの読み取り機能を利用する場合について説明したが、これらには限定されず、ＩＣカードリーダライタを利用して構成してもよい。
【００７１】
上述した第１実施形態〜第４実施形態においては、情報管理サーバ１０にユーザＤＢ記憶部１０２、ユーザ認証部１０５、ユーザ情報登録部１０６、および発送処理部１０７を設けた場合について説明したが、これらの機能は他の装置で構成するようにしてもよい。
【００７２】
また上述した第１実施形態〜第３実施形態においては、ＩＣタグに位置ＩＤを格納しておきユーザ携帯端末で読み取って情報管理サーバに提供する場合について説明したが、ある程度（数十メートル程度）の距離が離れた場所の複数のＩＣタグに貼付されたポスターを管理する場合には、当該ＩＣタグの位置情報は、かざしたユーザ携帯端末に搭載されたＧＰＳ機能により取得した情報を用いるようにしてもよい。
【００７３】
また上述した第１実施形態〜第４実施形態においては、固定的に設置されたＩＣタグにポスターを貼付した場合について説明したが、ポスターには限定されず、例えばボード、壁紙、書籍、雑誌、カタログや、ポストカード等に用いてパネルを構成してもよい。
【００７４】
また、上記の実施形態の情報管理サーバの機能構成をプログラム化してコンピュータに組み込むことにより、当該コンピュータを情報管理サーバとして機能させる情報提供用プログラムを構築することも可能である。
【符号の説明】
【００７５】
１Ａ、１Ｂ、１Ｃ…パネル情報管理システム
１０Ａ、１０Ｂ、１０Ｃ…情報管理サーバ
３０…ユーザ携帯端末
４０…ネットワーク
６０…管理用端末
７０…デジタル表示装置
８０ａ、８０ｂ、８０ｃ…光センサ
１０１…管理テーブル記憶部
１０２…ユーザＤＢ記憶部
１０３…サーバ通信部
１０４…情報特定部
１０５…ユーザ認証部
１０６…ユーザ情報登録部
１０７…発送処理部
１０８…判定部
１０９…表示制御部
２０１〜２２１…ＩＣタグ
３０１…第１読み取り部
３０２…端末通信部
３０３…入出力部
５０１〜５２０…管理用情報表示ラベル
６０１…第１読み取り部
６０２…第２読み取り部
６０３…端末通信部
６０４…入出力部
【図１】
2013161097.tif 000003
【図２】
2013161097.tif 000004
【図３】
2013161097.tif 000005
【図４】
2013161097.tif 000006
【図５】
2013161097.tif 000007
【図６】
2013161097.tif 000008
【図７】
2013161097.tif 000009
【図８】
2013161097.tif 000010